【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
記録媒体から再生された動画データを表示部に出力する表示手段と、
前記動画データに係る動画を視聴しているユーザを認識する認識手段と、
前記記録媒体に記録された動画データにおける、前記認識手段により認識されたユーザの再生済み部分と未再生部分とを識別するための管理情報を生成する生成手段と、
前記管理情報に基づき、前記認識手段により認識された第１のユーザの再生済み部分と未再生部分とを有する所定の動画データの再生中に、前記所定の動画データにおける前記第１のユーザの再生済み部分と未再生部分とを識別するための履歴情報を、前記所定の動画データに係る動画と共に表示するように、前記表示手段を制御する制御手段とを備えることを特徴とする再生装置。
【請求項２】
前記生成手段は更に、複数の前記ユーザそれぞれについて、前記記録媒体に記録された動画データにおける再生済み部分と未再生部分とを識別するための前記管理情報を生成することを特徴とする請求項１に記載の再生装置。
【請求項３】
前記制御手段は、前記所定の動画データが、前記認識手段により認識された第２のユーザの未再生部分を有する場合、前記管理情報に基づいて、前記所定の動画データにおける前記第１のユーザと前記第２のユーザそれぞれについての再生済み部分と未再生部分とを識別するための前記履歴情報を、前記所定の動画データに係る動画と共に表示するように、前記表示手段を制御することを特徴とする請求項２に記載の再生装置。
【請求項４】
前記制御手段は、前記管理情報に基づき、前記所定の動画データにおける、前記第１のユーザが前記第２のユーザと共に視聴していた部分を識別可能に前記履歴情報を表示するように、前記表示手段を制御することを特徴とする請求項３に記載の再生装置。
【請求項５】
前記生成手段は、前記動画データの再生を停止したことに応じて、前記管理情報における再生済み部分と未再生部分とを更新することを特徴とする請求項１に記載の再生装置。
【請求項６】
再生手段により記録媒体から再生された動画データに係る動画を視聴しているユーザを認識する認識手段と、
前記記録媒体に記録された動画データにおける、前記認識手段により認識されたユーザの再生済み部分と未再生部分とを識別するための管理情報を生成する生成手段と、
前記認識手段により認識された第１のユーザの再生済み部分と未再生部分とを有する所定の動画データの再生中に再生位置のスキップ指示を受けた場合、前記管理情報に基づいて、前記第１のユーザの未再生部分に前記所定の動画データの再生位置をスキップするように前記再生手段を制御する制御手段とを備えることを特徴とする再生装置。
【請求項７】
前記生成手段は更に、複数の前記ユーザそれぞれについて、前記記録媒体に記録された動画データにおける再生済み部分と未再生部分とを識別するための前記管理情報を生成することを特徴とする請求項６に記載の再生装置。
【請求項８】
前記制御手段は、前記所定の動画データが、前記認識手段により認識された第２のユーザの未再生部分を有する場合、前記管理情報に基づいて、前記第１のユーザと前記第２のユーザの何れかの未再生部分に前記所定の動画データの再生位置をスキップするように前記再生手段を制御することを特徴とする請求項７に記載の再生装置。
【請求項９】
前記制御手段は、前記再生位置のスキップ指示を受けたときの再生位置に最も近い未再生部分に、前記所定の動画データの再生位置をスキップするように前記再生手段を制御することを特徴とする請求項６に記載の再生装置。
【請求項１０】
前記生成手段は、前記動画データの再生を停止したことに応じて、前記管理情報における再生済み部分と未再生部分とを更新することを特徴とする請求項６に記載の再生装置。
【請求項１１】
記録媒体から再生された動画データを表示部に出力するステップと、
前記動画データに係る動画を視聴しているユーザを認識するステップと、
前記記録媒体に記録された動画データにおける、前記認識されたユーザの再生済み部分と未再生部分とを識別するための管理情報を生成するステップと、
前記管理情報に基づき、前記認識された第１のユーザの再生済み部分と未再生部分とを有する所定の動画データの再生中に、前記所定の動画データにおける前記第１のユーザの再生済み部分と未再生部分とを識別するための履歴情報を、前記所定の動画データに係る動画と共に表示するように制御するステップとを備えることを特徴とする再生方法。
【請求項１２】
再生手段により記録媒体から再生された動画データに係る動画を視聴しているユーザを認識するステップと、
前記記録媒体に記録された動画データにおける、前記認識されたユーザの再生済み部分と未再生部分とを識別するための管理情報を生成するステップと、
前記認識された第１のユーザの再生済み部分と未再生部分とを有する所定の動画データの再生中に再生位置のスキップ指示を受けた場合、前記管理情報に基づいて、前記第１のユーザの未再生部分に前記所定の動画データの再生位置をスキップするように前記再生手段を制御するステップとを備えることを特徴とする再生方法。
【手続補正２】
【補正対象書類名】明細書
【補正対象項目名】発明の名称
【補正方法】変更
【補正の内容】
【発明の名称】再生装置および再生方法
【手続補正３】
【補正対象書類名】明細書
【補正対象項目名】０００６
【補正方法】変更
【補正の内容】
【０００６】
上記解題を解決し、目的を達成するために、本発明の再生装置は、記録媒体から再生された動画データを表示部に出力する表示手段と、前記動画データに係る動画を視聴しているユーザを認識する認識手段と、前記記録媒体に記録された動画データにおける、前記認識手段により認識されたユーザの再生済み部分と未再生部分とを識別するための管理情報を生成する生成手段と、前記管理情報に基づき、前記認識手段により認識された第１のユーザの再生済み部分と未再生部分とを有する所定の動画データの再生中に、前記所定の動画データにおける前記第１のユーザの再生済み部分と未再生部分とを識別するための履歴情報を、前記所定の動画データに係る動画と共に表示するように、前記表示手段を制御する制御手段とを備える。
【手続補正４】
【補正対象書類名】明細書
【補正対象項目名】００１５
【補正方法】削除
【補正の内容】
【手続補正５】
【補正対象書類名】明細書
【補正対象項目名】００２６
【補正方法】変更
【補正の内容】
【００２６】
このように動画の再生中、制御部１０８は再生開始位置と再生停止位置、及び、再生日時の各情報を生成して記憶部１０７に記憶する。そして、制御部１０８は、ＵＩ１０９より再生停止の指示があると（Ｓ７０３）、記録再生部１０５に対し、動画の再生を停止するように制御指令を送出する（Ｓ７０４）。そして、制御部１０８は、記憶部１０７に記憶されていた再生開始位置、再生停止位置、及び再生日時の各情報、及び、Ｓ７０１で認識されたユーザの顔情報に基づいて、直前に再生された動画ファイルの再生履歴情報を更新する（Ｓ７０５）。即ち、制御部１０８は、指定された動画ファイルの履歴情報４０４を記憶部１０７から検出し、Ｓ７０１で認識した各ユーザの顔情報と登録済みユーザの顔情報とを比較して、登録済みユーザのユーザ名を検出する。制御部１０８は、動画ファイルの履歴情報に、検出されたユーザの履歴情報が格納されているか否か判定する。そして、検出されたユーザの履歴情報が格納されていた場合、制御部１０８は、再生開始位置、停止位置、及び再生日時の情報に基づき、記憶部１０７に記憶されている、対応するユーザの履歴情報の内容を更新する。また、検出されたユーザの履歴情報が格納されていなかった場合には、新たにこのユーザの履歴情報を作成し、記憶部１０７に記憶する。
【手続補正６】
【補正対象書類名】明細書
【補正対象項目名】００４５
【補正方法】変更
【補正の内容】
【００４５】
再生履歴情報の表示領域３０２には、認識された各ユーザ、ここでは視聴者Ａ、Ｂ、Ｃのユーザ名３０５が表示される。また、再生中の静止画とその前後に再生される静止画の再生履歴３０４が表示されている。再生履歴３０４には各静止画に対応した複数のアイコン３０４ａ、３０４ｂ、３０４ｃが表示される。アイコン３０４ａは再生済みの静止画を示し、アイコン３０４ｂは未再生の静止画を示す。再生済みの静止画を示すアイコン３０４ａと未再生の静止画を示すアイコン３０４ｂは異なる色、或いは、形状で識別可能に表示される。また、斜線で示すアイコン３０４ｃは、複数のユーザが一緒に再生画面を見ている状態で再生された静止画を示している。また、各ユーザの再生履歴３０４において、上下に同じ位置に表示されたアイコンは、同じ静止画を示している。また、インジケータ３０６は、再生中の静止画における再生位置を示している。図３では、制御部１０８は、現在再生中の静止画の前後４画面の静止画に関する再生履歴を表示させるようにしたが、もっと多くの静止画の再生履歴を表示してもよい。また、本実施形態では、静止画の記録日時の順に各静止画のアイコンを並べて表示したが、記録日時以外の条件に従って並べるようにしてもよい。
【手続補正７】
【補正対象書類名】明細書
【補正対象項目名】００４７
【補正方法】変更
【補正の内容】
【００４７】
また、全てのユーザについての再生履歴の表示が完了すると、制御部１０８は、記録再生部１０５に対し、指定された静止画ファイルを再生する様に指示する（Ｓ６０６）。記録再生部１０５は、指定された静止画ファイルを再生する。再生された静止画ファイルは信号処理部１０３により処理され、表示制御部１１０により、表示部１１１における、図３に示した静止画表示領域３０１に表示される。
【手続補正８】
【補正対象書類名】明細書
【補正対象項目名】００５８
【補正方法】変更
【補正の内容】
【００５８】
また、図７の処理においても、再生中にユーザが変更したことを検出し、ユーザの変更を検出するごとに再生履歴の情報を更新するようにしてもよい。
【手続補正９】
【補正対象書類名】明細書
【補正対象項目名】００７４
【補正方法】変更
【補正の内容】
【００７４】
このように、動画の再生中、制御部１０８は再生開始位置と停止位置、及び、再生日時の情報を生成して記憶部１０７に記憶する。そして、制御部１０８は、再生端末８０３より再生停止指示があると、記録再生部１０５により動画の再生を停止し、通信部１１３による再生端末８０３への動画データの送信を停止する。そして、制御部１０８は、記憶部１０７に記憶されていた再生開始位置、停止位置、及び再生日時の情報、再生端末の識別情報、及び、再生端末８０３から送信されたユーザの顔情報に基づいて、直前に再生された動画ファイルの再生履歴情報を更新する。即ち、制御部１０８は、指定された動画ファイルの履歴情報４０４を記憶部１０７から検出する。そして、再生端末８０３から送信された各ユーザの顔情報と、登録済みユーザの顔情報とを比較して、登録済みユーザのユーザ名を検出する。制御部１０８は、動画ファイルの履歴情報に、検出されたユーザの履歴情報が格納されているか否か判定する。そして、検出されたユーザの履歴情報が格納されていた場合、制御部１０８は、再生開始位置、停止位置、及び再生日時と再生端末の識別情報に基づき、記憶部１０７に記憶されている、対応するユーザの履歴情報の内容を更新する。また、検出されたユーザの履歴情報が格納されていなかった場合には、新たにこのユーザの履歴情報を作成し、記憶部１０７に記憶する。本実施形態では、再生開始位置、停止位置、再生日時に加え、再生端末８０３の識別情報を履歴情報４０４に格納する。